(57)【要約】      （修正有）【課題】背面ディスプレイと電子ビューファインダを備えた撮像装置において、電子ビューファインダを用いるときにもタッチパネルへの操作性の良い撮像装置を提供する。【解決手段】撮像装置において、背面ディスプレイ１１に内蔵されたタッチパネル２１に対しユーザがフォーカス領域設定のためタッチ操作を行うとき、タッチ位置を検出する有効検出領域６０は、背面ディスプレイ１１使用時と電子ビューファインダ１２使用時とで異なるようにする。背面ディスプレイ使用時の有効検出領域６０は表示画面全体と一致するように設定し、電子ビューファインダ１２使用時には背面ディスプレイ１１の表示画面の一部の領域に縮小して設定する。【選択図】図５
2020039135.tif 000002
【特許請求の範囲】
【請求項１】
撮像装置であって、
撮像素子と、
前記撮像素子を介して撮影された画像を表示可能な第１のディスプレイと、
前記撮像素子を介して撮影された画像を表示可能な、前記第１のディスプレイとは異なる第２のディスプレイと、
前記第１のディスプレイに表示された画像に対してフォーカス領域を設定するために、タッチ操作された位置を検出可能な第１のタッチパネルと、
前記第２のディスプレイに表示された画像に対してフォーカス領域を設定するために、タッチ操作された位置を検出可能な、前記第１のタッチパネルとは異なる第２のタッチパネルと、
前記撮像素子を介して撮影された画像を、前記第１のディスプレイと前記第２のディスプレイのいずれに表示させるかを切り替えるように制御可能な制御部と、を備え、
前記制御部は、
前記第１のディスプレイと前記第２のディスプレイとの間での表示の切り替えに応じて、前記第１のタッチパネルと前記第２のタッチパネルの少なくとも一方についてフォーカス領域を設定するためのタッチ操作が無効となるように制御することを特徴とする撮像装置。
【請求項２】
請求項１に記載の撮像装置であって、
更に、所定の動作を検出する検出部を備え、
前記制御部は、
前記検出部による所定の動作の検出結果に応じて、前記第１のディスプレイと前記第２のディスプレイとの間での表示の切り替えを自動で行うように制御することを特徴とする撮像装置。
【請求項３】
請求項１又は２に記載の撮像装置であって、
前記制御部は、
前記撮像素子を介して撮影された画像が前記第１のディスプレイに表示されている時に、前記第１のタッチパネルに対するフリック操作を検出すると、前記検出されたフリック操作に応じた制御を行うことを特徴とする撮像装置。
【請求項４】
請求項１乃至３のいずれかに記載の撮像装置であって、
更に、前記撮像装置の姿勢を検出可能な姿勢検出手段を備え、
前記制御部は、前記姿勢検出手段による検出結果に応じてフォーカス領域の位置を自動で切り替えるように制御することを特徴とする撮像装置。
【請求項５】
請求項４に記載の撮像装置であって、
前記姿勢検出手段により撮影姿勢が横撮りから縦撮り、または縦撮りから横撮りに変化したことを検出した場合は、タッチ操作により一旦設定されたフォーカス領域をリセットすることを特徴とする撮像装置。
【請求項６】
請求項１乃至５のいずれかに記載の撮像装置であって、
前記第２のタッチパネルのサイズは前記第１のディスプレイのサイズよりも小さいことを特徴とする撮像装置。
【請求項７】
請求項１乃至６のいずれかに記載の撮像装置であって、
前記第１のタッチパネルは前記第１のディスプレイと一体化して構成されていることを特徴とする撮像装置。
【請求項８】
請求項１乃至７のいずれかに記載の撮像装置であって、
前記第２のタッチパネルは前記第２のディスプレイと分離して構成されていることを特徴とする撮像装置。
【請求項９】
請求項１乃至８のいずれかに記載の撮像装置であって、
前記第１のディスプレイと前記第２のディスプレイは有機ELのディスプレイであることを特徴とする撮像装置。
【発明の詳細な説明】
【技術分野】
【０００１】
本発明は、背面ディスプレイとビューファインダとの２つの表示部を備えた撮像装置において、タッチパネルを用いてオートフォーカス（ＡＦ）操作を行う技術に係わる。
【背景技術】
【０００２】
ＣＣＤやＣＭＯＳセンサ等の撮像素子を用いて被写体を撮影するデジタルカメラ等の撮像装置では、撮影する画像や操作メニューをユーザに表示するために、所定の距離から目視できる背面ディスプレイが一般に搭載されている。この背面ディスプレイは、液晶パネルにタッチパネルを一体化した構成とすることで、ユーザは撮影している被写体の画像を見ながら、フォーカスを合わせたい位置を指定することができる。例えば特許文献１には、液晶パネルに表示された画像上の任意の位置に設定されるフォーカスの制御に用いるフォーカス枠を、ユーザによるタッチパネルの操作に応じて制御するとともに、液晶パネルに表示された画像のうちのフォーカス枠の内部の画像に基づいて、フォーカスを制御する構成が開示されている。
【０００３】
さらにデジタルカメラ等の撮像装置では、上記した背面ディスプレイの他に、撮影する画像を覗き込んで目視するディスプレイ（電子ビューファインダ（ＥＶＦ））を搭載する場合がある。電子ビューファインダによれば、遮光性が高く屋外等の明るい環境でも画像を識別しやすいが、タッチパネルを組み込むことができず、タッチパネルと一体化した背面ディスプレイよりも操作性に劣る。これに関し特許文献２には、電子ビューファインダが使用状態にあることを認識すると、背面ディスプレイ（液晶モニタ）の前面に設置されたタッチパネルを用いてユーザが様々なタッチ操作を行うことを有効とする構成（ＥＶＦ操作モード）が開示されている。このＥＶＦ操作モードでは、電子ビューファインダに表示される画像上の位置と背面ディスプレイのタッチパネル上の位置とを関連付けることにより、フォーカス機能を実現している。
【先行技術文献】
【特許文献】
【０００４】
【特許文献１】特開２００７−１９６８５号公報
【特許文献２】国際公開第２０１２／００１７４９号
【発明の概要】
【発明が解決しようとする課題】
【０００５】
デジタルカメラ等の撮像装置において、特許文献２のように電子ビューファインダで被写体を目視しながらタッチパネルを操作して撮影する場合の操作方法について考察する。通常のユーザは、左手でカメラ本体を下から支え、右手はカメラグリップ部あるいはカメラのボディー右側を支えて本体を固定するとともに、右手の人指し指でシャッターボタンを操作する。これと同時に、背面ディスプレイ上のタッチパネルに対し右手親指でタッチ操作を行う。これによりユーザは、所望の被写体の位置に素早くフォーカスを合わせて撮影することができる。
【０００６】
しかし、カメラのボディーが大型化するに従い、上述のような動作により右手親指でタッチパネルを操作しようとすると、背面ディスプレイ（タッチパネル）の左側領域まで親指が届きにくく、操作性が悪化する課題がある。このときユーザは、右手をボディーから離してタッチパネルを操作することは可能であるが、その分シャッターボタンの操作が遅れ、シャッターチャンスを逸する恐れがある。
【０００７】
さらに、カメラの背面には背面ディスプレイの他にユーザの操作入力ボタン等が設けられ、これらの機能を確保しつつ背面領域を有効に利用することが要求されている。
【０００８】
本発明の目的は、上記の課題を鑑み、電子ビューファインダを用いるとき、タッチパネルへの操作性の良い撮像装置を提供することにある。
【課題を解決するための手段】
【０００９】
本発明の撮像装置は、フォーカスレンズを介して入力した被写体の光学像を撮像信号に変換する撮像素子と、前記フォーカスレンズの位置を制御して設定されたフォーカス領域に対してフォーカス動作を行うレンズ制御部と、前記撮像素子の出力信号から映像信号を生成する信号処理回路と、前記信号処理回路の出力する映像信号を用いて前記被写体の画像を表示する第１のディスプレイと、前記信号処理回路の出力する映像信号を用いて前記被写体の画像を表示する第２のディスプレイと、前記被写体の画像を、前記第１のディスプレイと前記第２のディスプレイのいずれに表示するかを切り換える表示切換手段と、前記第１のディスプレイまたは前記第２のディスプレイに表示された前記被写体の画像に対してフォーカス領域を設定するために、ユーザのタッチ操作位置を検出するタッチパネルと、を備える。前記タッチパネルには、前記第１のディスプレイまたは前記第２のディスプレイの表示画面全体に対応してユーザのタッチ操作位置を検出する有効検出領域を設定し、前記有効検出領域の大きさは、前記第１のディスプレイに画像を表示する場合と、前記第２のディスプレイに画像を表示する場合とで異なることを特徴とする。
【００１０】
あるいは本発明の撮像装置は、フォーカスレンズを介して入力した前記被写体の光学像を撮像信号に変換する撮像素子と、前記フォーカスレンズの位置を制御して設定されたフォーカス領域に対してフォーカス動作を行うレンズ制御部と、前記撮像素子の出力信号から映像信号を生成する信号処理回路と、前記信号処理回路の出力する映像信号を用いて前記被写体の画像を表示する第１のディスプレイと、前記信号処理回路の出力する映像信号を用いて前記被写体の画像を表示する第２のディスプレイと、前記被写体の画像を、前記第１のディスプレイと前記第２のディスプレイのいずれに表示するかを切り換える表示切換手段と、前記第１のディスプレイに表示された前記被写体の画像に対してフォーカス領域を設定するために、ユーザのタッチ操作位置を検出する第１のタッチパネルと、前記第２のディスプレイに表示された前記被写体の画像に対してフォーカス領域を設定するために、ユーザのタッチ操作位置を検出する第２のタッチパネルと、を備えた構成とする。
【発明の効果】
【００１１】
本発明によれば、電子ビューファインダで被写体を確認しながら背面ディスプレイに内蔵されたタッチパネルによりフォーカス領域を設定する際、背面ディスプレイが大画面化してもユーザの操作が容易になり、使い勝手の良い撮像装置を提供することができる。
【００１２】
あるいは本発明によれば、電子ビューファインダ使用時の専用のタッチパネルを撮像装置の背面に設けたので、背面ディスプレイが大画面化してもユーザのタッチ操作が容易になり、使い勝手の良い撮像装置を提供することができる。
【図面の簡単な説明】
【００１３】
【図１】実施例１に係る撮像装置の構成を示すブロック図。
【図２】背面ディスプレイの断面構造の一例を示す図。
【図３】実施例１に係る撮像装置を示す外観図。
【図４】背面ディスプレイの表示画面上でフォーカス領域を設定する方法の説明図。
【図５】電子ビューファインダの表示画像に対しフォーカス領域を設定する方法の説明図。
【図６】画像表示画面とタッチパネルの検出領域との位置関係を示す図。
【図７】ユーザによる有効検出領域の変更方法の一例を示す図。
【図８】フォーカス動作に関連するメニュー画面の表示例を示す図。
【図９】横撮り／縦撮り変更時のフォーカス領域の設定の例を示す図（実施例２）。
【図１０】フォーカス候補枠を利用したフォーカス領域の設定方法の説明図（実施例３）。
【図１１】実施例４に係る撮像装置の構成を示すブロック図。
【図１２】実施例４に係る撮像装置を示す外観図。
【図１３】電子ビューファインダの表示画像に対しフォーカス領域を設定する方法の説明図。
【図１４】フォーカス動作に関連するメニュー画面の表示例を示す図。
【図１５】実施例５に係る撮像装置の構成を示すブロック図。
【図１６】実施例５に係る撮像装置を示す外観図。
【図１７Ａ】電子ビューファインダ、第１及び第２背面ディスプレイに表示される画像の例を示す図。
【図１７Ｂ】電子ビューファインダ、第１及び第２背面ディスプレイに表示される画像の例を示す図。
【図１８】実施例６に係る撮像装置の構成を示すブロック図。
【図１９】実施例６に係る撮像装置を示す外観図。
【図２０Ａ】電子ビューファインダとマルチ背面ディスプレイに表示される画像の例を示す図。
【図２０Ｂ】電子ビューファインダとマルチ背面ディスプレイに表示される画像の例を示す図。
【発明を実施するための形態】
【００１４】
以下、本発明の実施形態について、図面を参照しながら説明する。
【実施例１】
【００１５】
図１は、実施例１に係る撮像装置の構成を示すブロック図である。本実施例の撮像装置１は、２つの表示部、すなわち背面ディスプレイ１１と電子ビューファインダ１２を備えており、背面ディスプレイ１１は、タッチパネル２１と液晶パネル２２を一体化した構成としている。以下、装置内の各部の構成について説明する。
【００１６】
レンズ部２は、フォーカスレンズを含む複数枚のレンズから構成され、レンズ制御部１４によってフォーカスレンズの位置を制御してフォーカシング動作を行う。
【００１７】
撮像素子３は、ＣＭＯＳやＣＣＤ等の方式の撮像素子である。撮像素子３は、フォトダイオード等の光電変換素子が撮像面に２次元状に配列されており、レンズ部２を介して入力し撮像面に結像された被写体の光学像を光電変換して撮像信号に変換する。撮像素子３には、アナログ信号をデジタル信号に変換するＡＤ変換回路が内蔵されており、デジタル化された撮像信号を出力する。また、撮像素子３に位相差ＡＦ（オートフォーカス）用の画素を配置し、ＡＦの高速化を図ることもできる。なお、ＡＤ変換回路を内蔵していない撮像素子を用いる場合には、ＡＤ変換回路を撮像素子３の外部に設ければよい。駆動回路１５は、動作モードに応じて撮像素子３を駆動する。
【００１８】
信号処理回路４は、撮像素子３からの出力信号に対し、フィルタリング、感度設定に応じた増幅、ホワイトバランス補正等の各種の信号処理を行う。また信号処理回路４は、動作モードに応じて表示用の映像信号、あるいは記録用の映像信号（動画、静止画）を生成する。また信号処理回路４は、ＯＳＤ回路１７に対し、表示用のＯＳＤ（オンスクリーンディスプレイ）信号の生成を指示する。このＯＳＤ信号には、後述するフォーカス枠の表示信号が含まれる。
【００１９】
バス５には、信号処理回路４のほか、ＤＲＡＭやフラッシュメモリ等のメモリ６、符号化復号化回路７、記録再生回路８等が接続されており、バス５に接続された各部の高速な連携処理と制御が可能である。符号化復号化回路７は、信号処理された映像信号に対し記録用の符号化処理を行うとともに、再生された画像データの復号化処理を行う。記録再生回路８は、撮影した画像データを記録媒体１６に記録するとともに、記録媒体１６に記録された画像を再生する。制御部９は、レンズ制御部１４、駆動回路１５、信号処理回路４、メモリ６、符号化復号化回路７、記録再生回路８、背面ディスプレイ１１、電子ビューファインダ１２の各部、及び撮像装置１全体の制御を行う。
【００２０】
操作入力部１０は、ユーザの操作入力を受け付けるもので、撮像装置１に対する設定のうち、ユーザによる使用頻度の高い操作が割り当てられる。具体的には、後述するように、モード設定ダイヤル、シャッターボタン、モード設定ボタン等が相当する。
【００２１】
背面ディスプレイ１１は、タッチパネル２１と液晶パネル２２とが一体化された構成で、その詳細は後述する。電子ビューファインダ１２は、撮影する映像を覗き込んで目視するディスプレイである。ユーザは、背面ディスプレイ１１または電子ビューファインダ１２のいずれかを用いて、撮影時のモニタリングや、再生画像の確認等を行う。通常、表示部はいずれか一方を選択的に使用すればよく、検出部１３の検出結果に基づいて自動的に切り換えるようにしている。
【００２２】
検出部１３は、例えば、赤外線発光素子と受光素子で構成し、赤外線発光素子が出力した赤外線の反射光を受光素子で検出することで、検出部１３の前に物体（例えばユーザの顔）が存在することを検出する。あるいは、検出部１３を超音波発信器と受信器で構成し、超音波発信器が発信した超音波を受信器で検出する方式でもよい。
【００２３】
ユーザが電子ビューファインダ１２を使用する場合には、検出部１３によりユーザの顔や頭部等の接近を検出し、電子ビューファインダ１２のみに画像を表示し、背面ディスプレイ１１には画像を表示しないように制御する。逆に検出部１３で物体を検出できない場合には、背面ディスプレイ１１にのみ画像を表示するよう制御する。このように画像の表示部を切り換えることによって、装置の消費電力を低減させる。
【００２４】
なお、背面ディスプレイ１１と電子ビューファインダ１２の表示は、検出部１３の検出結果に応じて自動的に切換えるものとしたが、例えば自動切換え機能のオン／オフ設定を設け、自動切換えをオフしているときにはユーザが背面ディスプレイ１１と電子ビューファインダ１２の表示を手動で切換えられるように構成してもよい。
【００２５】
図２は、背面ディスプレイ１１の断面構造の一例を示す図である。背面ディスプレイ１１は、タッチパネル２１と液晶パネル２２とを一体化し、その外側にガラス等の保護カバー２０とバックライト２３を配置している。この場合タッチパネル２１は、保護カバー２０を介して静電容量を検出するので、タッチパネル２１を保護カバー２０に密着させるように配置することで検出精度を高めるようにする。バックライト２３は液晶パネル２２の背面から照明光を照射して画像を表示させる。その際、一定時間ユーザの使用がない場合には、消費電力低減のためバックライト２３を消灯するように制御してもよい。なお、表示部の方式は液晶に限定するものではなく、有機ＥＬ等の任意の方式を用いてもよい。また、有機ＥＬ等の発光素子を用いる場合、バックライトは不要である。
【００２６】
タッチパネル２１は例えば静電容量方式とし、透明電極が水平、垂直方向に２次元状に配列されている。ユーザの指やタッチペンが背面ディスプレイ１１の表示画面に接触あるいは接近すると、指やタッチペンと透明電極間の静電容量が変化し、接触した画面上の水平、垂直方向の位置を検出する。このタッチパネル２１によりユーザは撮像装置に対し各種の入力、操作が可能となる。特に本実施例では、タッチパネル操作により画面上の任意の位置にフォーカスを合わせる機能を備えている。なお、タッチパネル２１には、静電容量方式の他に感圧方式等を用いてもよい。
【００２７】
図３は実施例１に係る撮像装置を示す外観図であり、（ａ）は撮像装置を背面から見た図、（ｂ）は撮像装置を右側面から見た図である。撮像装置１において、背面側にはタッチパネルを一体化した背面ディスプレイ１１が、上面側には電子ビューファインダ１２が配置されている。さらに電子ビューファインダ１２の表示側には、物体の接近を検出する検出部１３が設けられている。検出部１３は例えば赤外光等により、ユーザが電子ビューファインダ１２を使用している（覗き込んでいる）ことを検出する。
【００２８】
撮像装置１の操作入力部１０としては、モード設定ダイヤル３１、シャッターボタン３２、操作ボタン３３が設けられている。モード設定ダイヤル３１は、撮像装置１の動作モード（撮影モード／再生モード等）を選択するものである。シャッターボタン３２は本体右側上部に設けてあり、これを押下して撮影の操作を行う。操作ボタン３３は中央のボタンと上下左右四方向のボタンを有しており、メニュー画面の表示や選択を行うためのものである。
【００２９】
電子ビューファインダ１２を使用する場合、ユーザは電子ビューファインダ１２を覗きながら、例えば、右手人差し指でシャッターボタン３２を操作するとともに、右手親指で背面ディスプレイ１１に内蔵されたタッチパネル２１を操作することができる。
【００３０】
撮像装置の動作モードには、＜撮影モード＞と＜再生モード＞があり、これらの動作について説明する。これらの動作モードの切り替えは、モード設定ダイヤル３１を用いて切り替える構成としてもよいし、例えば専用の再生モードボタンを設けて動作モードを切り替える構成としてもよい。
【００３１】
＜撮影モード＞
制御部９は操作入力部１０により撮影モードに設定されたことを検出すると、撮像素子３、信号処理回路４、符号化復号化回路７、記録再生回路８、背面ディスプレイ１１、電子ビューファインダ１２等に対し、撮影モードに応じた制御を行う。撮影モードでは静止画撮影と動画撮影が可能である。
【００３２】
撮像素子３から所定の周期で撮像信号を読み出し、信号処理回路４にて所定の信号処理を行ない、表示用のフォーマットに変換して背面ディスプレイ１１または電子ビューファインダ１２にリアルタイムで動画像を表示する。その際、表示部の切り換えは、検出部１３の検出結果に従って行う。ユーザは、背面ディスプレイ１１または電子ビューファインダ１２に表示された動画像をモニタする。
【００３３】
静止画を撮影するときは、ユーザはシャッターボタン３２を押下する。制御部９は操作入力部１０の出力からシャッターボタン３２が押下されたことを検知し、ユーザが設定した撮影条件に従って絞り値やシャッター速度など、撮像素子３の駆動回路１５を制御する。撮像素子３によって撮像された静止画の撮像信号は、メモリ６を経由して信号処理回路４によって所定の静止画信号処理が施された後、符号化復号化回路７によって静止画用の符号化を行う。符号化方式は例えばＪＰＥＧ方式を採用するが、ＪＰＥＧ以外の方式として高画質のＲＡＷ形式で記録してもよい。符号化された静止画データは、メモリ６を経由し記録再生回路８により記録媒体１６に記録される。
【００３４】
動画を撮影するときは、図示しない動画撮影ボタンを押下して撮影を開始し、再度押下して撮影を停止する。動画像は、例えばＨ２６４やＨ２６５等のＭＰＥＧ、その他の任意の動画用フォーマットで符号化すればよい。動画撮影の場合も、符号化復号化回路７によって所定のフォーマットで符号化され、符号化された動画データは、メモリ６を経由し記録再生回路８により記録媒体１６に記録される。
【００３５】
＜再生モード＞
制御部９は操作入力部１０により再生モードに設定されたことを検出すると、記録再生回路８により記録媒体１６に記録された静止画や動画を読み出す。そして、符号化復号化回路７によって復号化した後、背面ディスプレイ１１または電子ビューファインダ１２に表示するように制御する。表示部の切り換えは、撮影モード時と同様に、検出部１３の検出結果に従って行う。再生動作では、まず複数の画像の各々のサムネイル画像をマルチ画面表示し、さらにタッチパネル操作等によって選択された画像を再生し、選択された表示部に表示する。
【００３６】
次に、本実施例の特徴であるタッチパネル操作によるフォーカス領域の設定動作について説明する。この動作は、撮影モードにおいて、静止画撮影を行なう際に適用されるものである。フォーカス領域の設定は、背面ディスプレイ１１を見ながら行う場合と、電子ビューファインダ１２を見ながら行う場合があり、それぞれについて説明する。いずれも、背面ディスプレイ１１に内蔵されたタッチパネル２１を指でタッチ操作することで行う。
【００３７】
図４は、背面ディスプレイ１１の表示画面上でフォーカス領域を設定する方法を説明する図であり、（ａ）〜（ｄ）はその設定手順を示している。
【００３８】
（ａ）はタッチパネル操作前の背面ディスプレイ１１の表示画面４０であり、撮影した動画像をリアルタイムで表示している。ここでは例として被写体４１が表示されている。（ｂ）に示すように、ユーザが画面上の被写体４１に指４２でタッチすると、背面ディスプレイ１１に内蔵されたタッチパネル２１はタッチした画面位置を検出する。制御部９は、タッチパネル２１で検出した位置をフォーカス領域として設定するとともに、ＯＳＤ回路１７を制御して、フォーカス領域を示すフォーカス枠４３を画像に重畳して表示させる。これによりユーザは、設定されたフォーカス領域を容易に確認できる。なお、（ａ）においてはフォーカス枠４３を表示していないが、フォーカス領域の位置がデフォルト設定されている場合は、デフォルト設定されたフォーカス枠を最初から表示させてもよい。
【００３９】
一旦フォーカス領域が設定されると、（ｃ）に示すように、表示画面４０にはフォーカス枠４３が継続的に表示される。また、ユーザがフォーカス領域を変更したいときは、画面上の新たなフォーカス位置を指４２でタッチすればよい。例えば（ｄ）に示すように、他の被写体４１’にタッチ操作すると、制御部９は、タッチされた位置を新たなフォーカス領域として設定変更するとともに、表示中のフォーカス枠４３を消去して新たなフォーカス枠４３’を表示させる。
【００４０】
このように、背面ディスプレイ１１を見ながらフォーカス領域を設定する場合は、フォーカスを合わせたい被写体の位置をユーザがタッチ操作することで、タッチされた被写体の位置に対してフォーカス動作を行うことができる。
【００４１】
次に、電子ビューファインダ１２を用いて画像をモニタしながらフォーカス領域を設定する動作について説明する。
【００４２】
図５は、電子ビューファインダ１２の表示画像に対し背面ディスプレイ１１のタッチパネル２１でフォーカス領域を設定する方法を説明する図である。（ａ）は電子ビューファインダ１２の表示画面５０を、（ｂ）は背面ディスプレイ１１に内蔵されたタッチパネル２１のタッチ面を示す。なお、前記図３に示したように、（ａ）の電子ビューファインダ１２の画面サイズは（ｂ）の背面ディスプレイ１１の画面サイズよりも大幅に小さいものであるが、ここでは任意のサイズで示している。
【００４３】
ユーザが電子ビューファインダ１２を覗くと、検出部１３はユーザの顔が電子ビューファインダ１２に接近したことを検出し、制御部９は映像信号を電子ビューファインダ１２に出力させるとともに、背面ディスプレイ１１への映像出力を停止させる。また、背面ディスプレイ１１のバックライト２３も消灯して、消費電力を低減する。このとき、背面ディスプレイ１１に内蔵されたタッチパネル２１の検出動作は有効とし、これを用いて電子ビューファインダ１２に表示される画像に対してフォーカス領域を設定する。但し本実施例では、タッチパネル２１においてタッチ操作を検出する領域（以下、有効検出領域と呼ぶ）を縮小して設定する。すなわち、画像を背面ディスプレイ１１に表示する場合と、電子ビューファインダ１２に表示する場合とで、タッチパネル２１の有効検出領域を変更するようにした。
【００４４】
（ａ）に示すように、電子ビューファインダ１２の表示画面５０には被写体５１が表示されている。また（ｂ）に示すように、背面ディスプレイ１１のタッチパネル２１では、ユーザのタッチ操作を検出する有効検出領域６０をタッチ面の右上部に縮小して設定している。すなわち、図４で示したように背面ディスプレイ１１にて画像表示するときは、タッチパネル２１のほぼ全面が有効検出領域であったが、電子ビューファインダ１２にて画像表示するときは、縮小された有効検出領域６０のみで検出可能とする。そして、縮小された有効検出領域６０を（ａ）の表示画面５０全体に対応させることにより、表示画面５０内の任意の位置に対しフォーカス領域に設定することができる。
【００４５】
例えばユーザは右手親指５２を操作し、タッチパネル２１の有効検出領域６０内のフォーカス位置５４をタッチする。制御部９は、これに対応する電子ビューファインダ１２の表示画面５０内の位置（この例では被写体５１の表示位置）に対し、フォーカス領域を設定するとともに、フォーカス領域を示すフォーカス枠５３を表示させる。この場合、ユーザが有効検出領域６０の外側の位置にタッチしても、フォーカス領域の設定動作には反映されない。
【００４６】
電子ビューファインダ１２を覗きながらフォーカス領域の設定操作を行う場合、一般にユーザは左手でカメラのボディーを支え、右手でボディーのグリップ部を握りつつ、右手親指５２でフォーカス位置を操作し、人差し指でシャッターボタンの操作を行うことが多い。本実施例のように、タッチパネル２１の有効検出領域６０を右上部に縮小して設定することで、背面ディスプレイ１１が大画面化しても右手親指５２によるタッチパネル２１への操作が容易になる。すなわちユーザは、右手をボディーから離すことなく有効検出領域６０内の所望の位置にタッチ操作を行うことができる。その結果、フォーカス位置決めとシャッターボタンとの連携操作を迅速に行うことができ、使い勝手が大幅に向上する。
【００４７】
このように本実施例では、背面ディスプレイ１１に画像表示する場合と、電子ビューファインダ１２に画像表示する場合とで、タッチパネル２１の有効検出領域を異ならせている。これについて両者を比較して説明する。
【００４８】
図６は、画像表示画面とタッチパネルの検出領域との位置関係を示す図である。ここに（ａ）は電子ビューファインダ１２の表示画面５０を示し、画面サイズは矩形領域Ａ’Ｂ’Ｃ’Ｄ’となる。一方（ｂ）は背面ディスプレイ１１の表示画面４０を示し、画面サイズは矩形領域ＡＢＣＤとなる。背面ディスプレイ１１にはタッチパネル２１が内蔵されており、タッチ面のサイズもほぼ矩形領域ＡＢＣＤに等しい。なお、表示画面４０と表示画面５０のサイズ比は任意であるが、ここでは簡単のために縦横比は等しいものとする（ＡＢ：ＢＣ＝Ａ’Ｂ’：Ｂ’Ｃ’）。
【００４９】
まず、背面ディスプレイ１１にて画像表示する場合は、タッチパネル２１の有効検出領域は背面ディスプレイ１１の全面となり、矩形領域ＡＢＣＤにほぼ一致する。すなわち、タッチパネル２１のタッチ位置（座標（Ｆ，Ｅ））はそのまま表示画面４０の表示位置となり、タッチ位置にフォーカス枠４３が表示される。
【００５０】
一方、電子ビューファインダ１２にて画像表示する場合は、タッチパネル２１の有効検出領域は、図５で示したように縮小された有効検出領域６０（矩形領域ａｂｃｄ）となる。その結果、有効検出領域６０内のタッチ位置５４の座標（ｆ，ｅ）と、これに対応させたい表示画面５０のフォーカス位置、すなわちフォーカス枠５３を表示させたい座標（Ｆ’，Ｅ’）とは一般に一致しなくなる。
【００５１】
そこで座標変換が必要となるが、その変換を容易に行うため、有効検出領域６０の形状を、ａｂ：ｂｃ＝ＡＢ：ＢＣ＝Ａ’Ｂ’：Ｂ’Ｃ’の関係をほぼ満たすように、すなわち有効検出領域６０の縦横比を表示画面４０の縦横比（すなわち表示画面５０の縦横比）とほぼ同一になるよう縮小して設定するのが望ましい。これにより、タッチパネル２１の有効検出領域６０におけるタッチ位置５４の座標（ｆ，ｅ）と、表示画面５０のフォーカス枠５３の座標（Ｆ’，Ｅ’）とを、１つの変換係数ｋで容易に変換することができる（ｆ／Ｆ’＝ｅ／Ｅ’＝ｋ）。また、縦横比を同一にすることで、ユーザは縦方向と横方向の位置決め操作をより自然な感覚で行うことができる。
【００５２】
有効検出領域６０の縮小率は、例えばａｂ：ＡＢ＝１：２とし、背面ディスプレイ１１の右上隅４分の１の領域にタッチパネル２１の有効検出領域６０を設定すればよい。このときの変換係数ｋは０．５となる。
【００５３】
なお、有効検出領域６０のサイズは、背面ディスプレイ１１の大きさやユーザの使用状態に応じて、以下のようにユーザが変更して設定することもできる。
【００５４】
図７は、ユーザによる有効検出領域６０の変更方法の一例を示す図である。背面ディスプレイ１１の表示画面４０には、現在設定されているタッチパネル２１の有効検出領域６０が示されている。ユーザは、有効検出領域６０の例えば左下隅の部分Ｐを左下方向（矢印で示す）にドラッグし（画面上に指５２をタッチした状態で移動させる）、所望の位置まで移動させた後に指５２を画面から離すことで、新たな有効検出領域６１を設定することができる。これによりタッチパネル２１は、ユーザの設定した新たな有効検出領域６１に基づいてタッチ位置を検出する。制御部９は、新たな有効検出領域６１の領域サイズを基に変換係数ｋを変更し、タッチ検出位置から電子ビューファインダ１２の表示画面の位置への座標変換処理を行う。
【００５５】
上記の例では、有効検出領域６０の縦横比を電子ビューファインダ１２の表示画面５０の縦横比と等しくしたが、異ならせても良い。例えば、フォーカス位置決め操作が主に画面横方向のみである時は、有効検出領域６０を横長状に設定することで、ユーザの操作性はむしろ良くなる場合がある。この場合には、有効検出領域６０の縮小率は縦方向と横方向とで異なり、それらに応じて縦方向と横方向の変換係数を定めればよい。
【００５６】
また上記の例では、電子ビューファインダ１２使用時のタッチパネル２１の有効検出領域６０を画面の右上隅に設定したが、これに限定するものではない。例えば、左利きのユーザの場合には、左下隅や左上隅に設定することで、左の指を使ってのタッチパネル操作を容易に行うことができる。このように有効検出領域６０の配置を変更する場合にも、有効検出領域６０を移動させる操作を追加することで対応可能である。
【００５７】
次に、上記により設定した画面上のフォーカス領域に対し、実際にフォーカスを合わせる動作について説明する。撮像装置におけるオートフォーカス方式には、ビデオＡＦ（オートフォーカス）と位相差ＡＦを用いることができる。
【００５８】
ビデオＡＦは、フォーカス領域の映像信号にピントが合うようにフォーカスレンズを制御しながらフォーカスを合わせる方式である。このため、設定したフォーカス領域の映像信号の高周波成分を抽出し、その高周波成分が最大になるようフォーカスレンズの位置を制御する。設定されたフォーカス領域に関する情報は、制御部９により信号処理回路４に伝達され、信号処理回路４は設定されたフォーカス領域内の高周波成分を検出する。こうして検出された高周波成分が最大となるようにレンズ制御部１４を制御することで、設定されたフォーカス領域にフォーカスを合わせることができる。
【００５９】
一方位相差ＡＦは、位相差ＡＦ用の画素を設けた撮像素子を用いるか、または専用の位相差ＡＦ用のセンサを設けて行う。専用の位相差ＡＦを設ける場合は、レンズと撮像素子との経路上にハーフミラー等を設けてレンズからの入射光を２方向に分離し、一方に撮像素子、もう一方に位相差ＡＦ用のセンサを設ければよい。位相差ＡＦは、２つの異なる経路を通過した像の位相差を検出してフォーカスを合わせる方式であり、その位相差からフォーカスを合わせることができるので高速にフォーカスを合わせることができる。専用の位相差ＡＦセンサや、位相差ＡＦ用画素を有する撮像素子を用いる場合、ユーザが設定した領域にある位相差ＡＦセンサの画素にピントが合うよう、フォーカスレンズを制御すればよい。
【００６０】
両者の方式を比較すると、ビデオＡＦはレンズを駆動しながらフォーカス位置を探索するため位相差ＡＦに比べて低速である。但し、撮像素子を用いてフォーカス制御ができるため、専用の位相差ＡＦセンサやそのための光学系が不要であるほか、撮像素子の任意の位置にＡＦ検波領域を設定できるので、任意の位置にフォーカスを合わせやすいメリットがある。
【００６１】
フォーカス動作のタイミングはシャッターボタン３２の操作に連動させる。シャッターボタンは一般に半押し状態と全押し状態があり、半押し状態にしたときにフォーカス動作を行う。すなわち制御部９は、タッチパネル２１を用いてユーザがタッチした位置をフォーカス領域として設定し、シャッターボタンの半押しを検出することでこの領域にフォーカスが合うように制御する。
【００６２】
以上のようにして、ユーザがタッチパネル上で指定した位置に素早くフォーカスを合わせることができる。そしてフォーカスを合わせ後に素早くシャッターボタンを押すことにより（全押し状態）、所望の被写体にピントが合った画像を撮影し、また記録することができる。なお、フォーカス動作を迅速に行うため、ユーザが画面にタッチ操作したときにフォーカス領域を設定するとともに、シャッターボタンの半押し動作なしで直ちにフォーカス制御を実行するようにしてもよい。
【００６３】
図８は、フォーカス動作に関連するメニュー画面の表示例を示す図である。例えば、操作ボタン３３の中央部を押すことで、メニュー画面８０を背面ディスプレイ１１に表示し、ユーザはタッチ操作によりメニューを選択設定する。ここには、表示されるメニュー画面のうち、フォーカス動作に関連するものを示している。
【００６４】
タッチパネルＡＦ８１は、タッチパネル操作によるオートフォーカス（ＡＦ）機能を使用するための設定メニューである。右側ＯＮ／ＯＦＦの表示部分をタッチすることで、トグル式にＯＮとＯＦＦとが切り換わる。ＯＮに設定するとタッチパネル操作によるＡＦ領域の設定操作が可能となり、ＯＦＦに設定するとＡＦ領域の設定操作が無効となる。したがって、上記したタッチパネル操作によるフォーカス領域設定を行う場合は、この設定をＯＮにする。
【００６５】
ＥＶＦ／ＬＣＤ自動切換え８２は、画像表示を電子ビューファインダ（ＥＶＦ）１２と背面ディスプレイ１１（液晶ディスプレイ（ＬＣＤ）２２）とで切り換える動作を、検出部１３の検出結果により自動的に行うための設定メニューである。自動的に切り換える場合はこの設定をＯＮにする。これにより、電子ビューファインダ１２と背面ディスプレイ１１との切換えを自動的に排他制御でき、低消費電力化のために有効となる。この設定をＯＦＦとした場合は、電子ビューファインダ１２と背面ディスプレイ１１とを手動で切り換える。手動切り替えの方法は任意であるが、例えば操作ボタン３３の下ボタン操作により、電子ビューファインダ１２と背面ディスプレイ１１とをトグルで選択できるようにする。なお、電子ビューファインダ１２と背面ディスプレイ１１の両方をＯＮするモード、両方をＯＦＦするモードを追加してもよい。
【００６６】
タッチパネル有効領域設定８３は、図７で示したように、ＥＶＦ使用時におけるタッチパネルの有効検出領域をユーザが設定するためのメニューである。これをタッチ選択すると、図７に示す画面が表示され、ユーザは有効検出領域を変更する操作を行うことができる。なお、ＥＶＦ使用時の有効検出領域の初期設定（デフォルト設定）は、背面ディスプレイの右上隅に所定サイズに縮小された領域とする。あるいは、有効検出領域の初期設定を背面ディスプレイの全面領域としておき、パネル有効領域設定８３のメニュー選択によりユーザが変更するようにしてもよい。
【００６７】
フォーカス領域サイズ設定８４は、フォーカス領域（フォーカス枠）の大きさを変更するためのメニューである。これにより、被写体の大きさ等に応じて、フォーカスを合わせたい領域の大きさを変更して設定する。
【００６８】
縦横変更時ＡＦ領域リセット８５と縦横変更時ＡＦ領域初期設定８６は、撮影時の姿勢（横撮り状態／縦撮り状態）の変更に伴うフォーカス領域の設定に関するメニューである。縦横変更時ＡＦ領域リセット８５は、撮影時に撮像装置を横に構える横撮りから、縦に構える縦撮りに変更したとき、あるいはその逆に縦撮りから横撮りに変更したとき、フォーカス領域をリセットするか否かを設定するメニューである。また、縦横変更時ＡＦ領域初期設定８６は、リセットする際の初期値に関する設定である。これらの機能については、次の実施例２で説明する。
【００６９】
上記の説明では、ユーザがタッチ操作した位置にフォーカス領域を設定するものとしたが、さらにフリック操作により設定位置を変更できるようにしてもよい。フリック操作は、タッチした後にタッチした状態で指を所定の方向へ素早く払う操作である。この場合、フリック操作の方向にフォーカス設定領域を移動させるとともに、移動後のフォーカス領域を示すフォーカス枠を画面上に表示させればよい。
【００７０】
また上記の説明では、ユーザがタッチ操作により設定したフォーカス領域の画面内位置はそのまま保持されるものとしたが、さらに被写体の動きに追尾できるようにしてもよい。すなわち、所望の被写体にフォーカス領域を設定するとその被写体の画像を認識しておくことで、その被写体が画面内で移動した場合でもフォーカス領域が移動して追尾させるようにする。これにより、動きのある被写体に対しても確実にフォーカス合わせを行うことができる。
【００７１】
本実施例によれば、電子ビューファインダ１２で画像をモニタする場合、タッチパネル２１の有効検出領域を縮小して設定することで、タッチパネル２１を内蔵する背面ディスプレイ１１が大画面化してもフォーカス領域設定のためユーザの操作が容易になる。その結果ユーザは、フォーカス位置決めとシャッターボタンとの連携操作を迅速に行うことができ、使い勝手が大幅に向上する。
【実施例２】
【００７２】
デジタルカメラ等の撮像装置を水平（横）に構えて撮影（横撮り）した後、垂直（縦）に構えて撮影するいわゆる縦撮り時では、ユーザは通常フレーミングを変更するため被写体の画面内位置が移動するので、フォーカス領域が所望の位置からずれてしまうことになる。すなわち前記実施例１では、一旦設定したフォーカス領域の画面内位置はそのまま保持され横撮りの状態のままとなっているからである。そこで本実施例では、撮影姿勢が横撮りから縦撮り、または縦撮りから横撮りに変更したことを検出し、設定されたフォーカス領域をリセットし、さらには予め定めた横撮り用または縦撮り用の位置にフォーカス領域を自動設定する機能を追加したものである。
【００７３】
なお、撮影姿勢が横撮り状態か縦撮り状態かの姿勢検出は、地磁気センサ、ジャイロセンサ、角速度センサ等を用いることで可能であり、撮像装置が容易に備えることができる。
【００７４】
この機能は、前記図８で説明した設定メニューの中の、縦横変更時ＡＦ領域リセット８５と縦横変更時ＡＦ領域初期設定８６を使用する。縦横変更時ＡＦ領域リセット８５をＯＮに設定すると、撮影時の姿勢が横撮りから縦撮りに、あるいは逆に縦撮りから横撮りに変更した場合、横撮り／縦撮りの変更を自動的に検出し、現在設定されているフォーカス領域がリセットされて初期値が再設定される。縦横変更時ＡＦ領域初期設定８６では、予めリセット後に再設定するフォーカス領域の初期値を設定しておく。初期設定としては、画面の中心にフォーカス領域を設定するのが一般的であるが、横撮りと縦撮りとで任意の異なる初期値を設定してもよい。
【００７５】
図９は、横撮り／縦撮り変更時のフォーカス領域の設定の例を示し、（ａ）は横撮り状態で撮影する場合、（ｂ）は縦撮り状態に変更した場合である。ここでは電子ビューファインダ１２の表示画面５０の場合を示すが、背面ディスプレイ１１の表示画面４０の場合も全く同様である。
【００７６】
（ａ）の横撮り状態の表示画面５０では、被写体５１の位置にフォーカス枠５３（座標Ｘ１，Ｙ１）が示されている。次に撮像装置を９０°左回転して（ｂ）の縦撮り状態に変更すると、表示画面５０’では（ａ）で設定されたフォーカス枠５３は５３’の位置（破線で示す座標Ｘ１，Ｙ１）に設定され、被写体５１からずれてしまう。
【００７７】
そこで本実施例では、縦横変更時ＡＦ領域リセット８５をＯＮに設定し、また、縦横変更時ＡＦ領域初期設定８６により、縦撮り時のフォーカス領域の初期値（Ｘ２，Ｙ２）をフォーカス枠５５で示す位置に設定しておく。この初期値（Ｘ２，Ｙ２）の位置は、例えば画面上部の中央付近とする。これは、例えば縦撮りで人物を撮影する場合、被写体５１は画面上部の中央付近に位置するケースが多いためである。これにより、撮影姿勢を横撮りから縦撮りに変更した場合、横撮り時に設定したフォーカス領域はリセットされ、縦撮り時のフォーカス領域の初期値（Ｘ２，Ｙ２）の位置に自動的に切り換えて設定されるので、ユーザに対する利便性が向上する。あるいはユーザがタッチ操作でフォーカス領域を修正することが必要である場合でも、その修正量は少なくて済むことが期待できる。
【実施例３】
【００７８】
実施例１，２によれば、被写体の表示画面にフォーカス領域を示すフォーカス枠が表示されるのは、当然ながらユーザがタッチパネルにタッチ操作した後である。表示部が背面ディスプレイ１１のようにタッチパネル２１が一体化されている場合は、ユーザは所望する被写体位置にフォーカス領域を瞬時に設定することができる。しかしながら、表示部が電子ビューファインダ１２の場合にはタッチパネル２１と分離され、しかも両者の画面サイズ（タッチパネルは縮小された有効検出領域６０）が異なるので、ユーザは所望する被写体位置にフォーカス領域を瞬時に設定することは困難となることが予想される。そこで本実施例では、ユーザのフォーカス領域設定作業をアシストするために、予め被写体の表示画面に、フォーカス領域を設定可能な位置をフォーカス候補枠として表示するようにした。
【００７９】
図１０は、実施例３におけるフォーカス領域の設定方法を説明する図である。（ａ）は電子ビューファインダ１２の表示画面５０を、（ｂ）は背面ディスプレイ１１に内蔵されたタッチパネル２１のタッチ面を示す。タッチパネル２１の検出可能な領域は、有効検出領域６０に縮小されている。
【００８０】
（ａ）に示すように、電子ビューファインダ１２の表示画面５０には、予めフォーカス領域として設定可能な位置に、候補領域であることを示す枠（候補枠）７０を表示している。この例では、四角形の複数の候補枠７０を表示画面５０上にマトリクス状に配列し、また候補であることを示すため枠線は点線で表示している。
【００８１】
これに対しユーザは、（ｂ）に示すように、タッチパネル２１の有効検出領域６０内の所望の位置を指６２でタッチし、フォーカス位置５４として指定する。すると（ａ）の表示画面５０では、候補枠７０からタッチされたフォーカス位置５４に対応する位置を選択してフォーカス領域として設定し、設定されたことを示すため実線の設定枠７１で表示する。これによってユーザは、フォーカス領域の設定位置を実線の設定枠７１により容易に確認することができる。
【００８２】
また、一旦フォーカス領域として設定された設定枠７１に対し再度この位置をタッチすると、フォーカス領域の設定が解除されて候補枠７０に戻り、ユーザはフォーカス領域の設定変更を行うことができる。この例では候補枠７０の枠線を点線、設定枠７１の枠線を実線で示したが、両者が容易に区別できればこれらの表示形態は任意である。
【００８３】
本実施例によれば、フォーカス領域の候補位置が予め表示されているので、ユーザはこれを拠り所としてフォーカス位置の設定を行うことができ、設定作業の迅速化が図られる。上記の例では電子ビューファインダ１２に画像表示する場合を説明したが、タッチパネルが一体化した背面ディスプレイ１１に画像表示する場合でも適用できることは言うまでもなく、フォーカス領域の候補位置を予め表示しておくことで、ユーザの設定作業をアシストする効果がある。
【実施例４】
【００８４】
図１１は、実施例４に係る撮像装置の構成を示すブロック図である。本実施例の撮像装置１は、実施例１（図１）と同様に２つの表示部、すなわち背面ディスプレイ１１と電子ビューファインダ１２を備えており、背面ディスプレイ１１は、タッチパネル２１と液晶パネル２２を一体化した構成としている。実施例１と異なるのは、電子ビューファインダ１２に対応する専用のタッチパネル１９を設けたことである。以下、背面ディスプレイ１１に内蔵するタッチパネル２１を「第１タッチパネル」、電子ビューファインダ１２に対応する専用のタッチパネル１９を「第２タッチパネル」と呼ぶ。実施例１（図１）と異なる点について説明する。
【００８５】
背面ディスプレイ１１は、第１タッチパネル２１と液晶パネル２２とが一体化された構成であり、第１タッチパネル２１は液晶パネル２２に表示される映像に対するタッチ操作入力を行うものである。また電子ビューファインダ１２は、撮影する映像を覗き込んで目視するディスプレイであり、第２タッチパネル１９は、電子ビューファインダ１２使用時の操作入力に用いる専用のタッチパネルである。ユーザは、背面ディスプレイ１１または電子ビューファインダ１２のいずれかを用いて、撮影時のモニタリングや、再生画像の確認等を行う。通常、表示部はいずれか一方を選択的に使用すればよく、検出部１３の検出結果に基づいて自動的に切り換えるようにしている。
【００８６】
背面ディスプレイ１１および第１タッチパネル２１の構造は、実施例１（図２）で説明した通りである。また第２タッチパネル１９も第１タッチパネル２１と同様の構造であり、ユーザの指やタッチペンが接触あるいは接近した位置を検出する。ただし、背面ディスプレイ１１の場合と異なり液晶パネルは存在しない。すなわち、図２に示した背面ディスプレイ１１の構成から、液晶パネル２２とバックライト２３を除き、タッチパネルとその保護カバーによって構成される。
【００８７】
図１２は、実施例４に係る撮像装置を示す外観図であり、（ａ）は撮像装置を背面から見た図、（ｂ）は撮像装置を右側面から見た図である。実施例１（図３）の構成に追加した第２タッチパネル１９は、電子ビューファインダ１２使用時のタッチ操作入力に用いる。第２タッチパネル１９は背面ディスプレイ１１の右側に配置され、背面ディスプレイ１１のサイズよりも小さい。
【００８８】
電子ビューファインダ１２を使用する場合、ユーザは電子ビューファインダ１２を覗きながら、例えば、右手人差し指でシャッターボタン３２を操作するとともに、右手親指で背面ディスプレイ１１の右側に設けられた第２タッチパネル１９を容易に操作することができる。
【００８９】
次に、本実施例の特徴であるタッチパネル操作によるフォーカス領域の設定動作について説明する。フォーカス領域の設定は、背面ディスプレイ１１を見ながら行う場合と、電子ビューファインダ１２を見ながら行う場合がある。背面ディスプレイ１１を見ながらフォーカス領域の設定を行う場合は、実施例１（図４）と同様であり、背面ディスプレイ１１に設けられた第１タッチパネル２１を指でタッチ操作することで行う。一方、電子ビューファインダ１２を見ながらフォーカス領域の設定を行う場合は、電子ビューファインダ使用時専用の第２タッチパネル１９を指でタッチ操作することで行う。
【００９０】
図１３は、電子ビューファインダ１２の表示画像に対し第２タッチパネル１９でフォーカス領域を設定する方法を説明する図である。電子ビューファインダ１２の表示画面５０と、第２タッチパネル１９のタッチ面との関係を示す。図１２に示したように、電子ビューファインダ１２の画面サイズは、一般に背面ディスプレイ１１の画面サイズよりも小さく、また、電子ビューファインダ１２と第２タッチパネル１９は左右方向にずれて配置される。
【００９１】
ユーザが電子ビューファインダ１２を覗くと、検出部１３はユーザの顔が電子ビューファインダ１２に接近したことを検出し、制御部９は映像信号を電子ビューファインダ１２に出力させるとともに、背面ディスプレイ１１への映像出力を停止させ、第１タッチパネルの検出動作も停止する。また、背面ディスプレイ１１のバックライト２３も消灯して、消費電力を低減する。一方、第２タッチパネル１９の動作を有効とし、これを用いて電子ビューファインダ１２に表示される画像に対してフォーカス領域を設定する。
【００９２】
電子ビューファインダ１２の表示画面５０には被写体５１が表示されている。これに対し電子ビューファインダ１２を覗きながらフォーカス領域の設定操作を行う場合、一般にユーザは左手でカメラのボディーを支え、右手でボディーのグリップ部を握りつつ、右手親指５２でフォーカス位置を操作し、人差し指でシャッターボタンの操作を行うことが多い。本実施例のように、第２タッチパネル１９を撮像装置の右側に配置することで、装置が大型化しても右手親指５２による第２タッチパネル１９への操作は容易である。すなわちユーザは、右手をボディーから離すことなく第２タッチパネル１９内の所望の位置にタッチ操作を行うことができる。
【００９３】
例えばユーザは右手親指５２を操作し、第２タッチパネル１９内のフォーカス位置５４をタッチする。制御部９は、これに対応する電子ビューファインダ１２の表示画面５０内の位置（この例では被写体５１の表示位置）に対し、フォーカス領域を設定するとともに、フォーカス領域を示すフォーカス枠５３を表示させる。その結果、フォーカス位置決めとシャッターボタンとの連携操作を迅速に行うことができ、使い勝手が大幅に向上する。
【００９４】
このように本実施例では、背面ディスプレイ１１に画像表示する場合と、電子ビューファインダ１２に画像表示する場合とで、背面ディスプレイ１１と一体化した第１タッチパネル２１と、電子ビューファインダ１２専用の第２タッチパネル１９を排他的に切り換えて使用するようにした。これにより、背面ディスプレイ１１が大型化した場合でも、ユーザの操作性を損なうことがなく、使い勝手を向上させることができる。なお、本体背面右側には、撮像装置１を手で保持しやすいようにグリップ部を設けてもよく、そのときにはグリップ部に第２タッチパネルを配置してもよい。
【００９５】
図１４は、フォーカス動作に関連するメニュー画面の表示例を示す図である。実施例１（図８）に追加した項目について説明する。メニュー画面８０において、メインタッチパネル８７は、背面ディスプレイ１１と一体化した第１タッチパネル２１の動作をＯＮ／ＯＦＦするための設定メニューである。また、サブタッチパネル８８は、電子ビューファインダ１２専用の第２タッチパネル１９の動作をＯＮ／ＯＦＦするための設定メニューである。なお、メインタッチパネル８７とサブタッチパネル８８のＯＮ／ＯＦＦ切り替えは、ＥＶＦ／ＬＣＤ自動切換え８２に連動させてもよい。
【００９６】
本実施例によれば、電子ビューファインダ１２で画像をモニタする場合、専用の第２タッチパネル１９を用いてフォーカス領域を設定でき、フォーカス領域設定のためユーザの操作が容易になる。その結果ユーザは、フォーカス位置決めとシャッターボタンとの連携操作を迅速に行うことができ、使い勝手が大幅に向上する。
【実施例５】
【００９７】
実施例５は、実施例４における第２タッチパネルに液晶パネルを追加一体化して第２背面ディスプレイとして構成したものである。
【００９８】
図１５は、実施例５に係る撮像装置の構成を示すブロック図である。第１背面ディスプレイ９１は実施例４（図１１）における背面ディスプレイ１１に対応し、第１タッチパネル２１ａと第１液晶パネル２２ａを一体化している。また第２背面ディスプレイ９２は、第２タッチパネル２１ｂと第２液晶パネル２２ｂを一体化している。第２背面ディスプレイ９２は第１背面ディスプレイ９１よりも画面サイズは小さいが、内部構成は同様である。第２背面ディスプレイ９２はユーザのタッチ操作が可能であるとともに、第２液晶パネル２２ｂには後述するように被写体以外の画像を表示する。その他の構成および動作は実施例４と同様であり、詳細な説明は省略する。
【００９９】
図１６は、実施例５に係る撮像装置を示す外観図であり、撮像装置を背面から見た図である。なお、側面から見た図は図１２（ｂ）と同様である。第２背面ディスプレイ９２は撮像装置１の背面の右側、すなわち第１背面ディスプレイ９１の右側に配置する。この例では、第２背面ディスプレイ９２を背面右下側に配置しているが、右上側に配置してもよい。このように、第２背面ディスプレイ９２を撮像装置１の右側に配置することで、ユーザが右手で撮像装置を支持する場合に、右手親指で容易に第２背面ディスプレイ９２内の第２タッチパネル２１ｂへ操作を行うことができる。
【０１００】
図１７Ａと図１７Ｂは、撮影を行う際に電子ビューファインダ１２、第１背面ディスプレイ９１及び第２背面ディスプレイ９２に表示される画像の例を示す図である。
【０１０１】
図１７Ａは、第１背面ディスプレイ９１を使用して被写体を表示する場合である。第１背面ディスプレイ９１には撮影中の被写体４１の画像を表示し、電子ビューファインダ１２の表示は停止する。ユーザは第１背面ディスプレイ９１の表示画面に対し指４２でタッチ操作することで、被写体４１に対しフォーカス枠４３を設定することができる。
【０１０２】
このとき第２背面ディスプレイ９２には、例えば操作ボタン３３ａを表示する。この操作ボタン３３ａは、図１２における操作ボタン３３に相当し、図１２ではハードウェアで構成したが、ここでの操作ボタン３３ａは表示画像としている。操作ボタン３３ａにタッチ操作することで、図１２の操作ボタン３３と同様の機能（メニュー画面の表示や選択）を有する。
【０１０３】
図１７Ｂは、電子ビューファインダ１２を使用して被写体を表示する場合である。電子ビューファインダ１２には撮影中の被写体５１の画像を表示し、第２背面ディスプレイ９２は画像表示を停止してユーザのタッチ操作を受け付ける。そして、指５２のタッチ操作（フォーカス位置５４）に対応して、電子ビューファインダ１２内の被写体５１に対しフォーカス枠５３を設定する。
【０１０４】
一方、第１背面ディスプレイ９１には撮影に関する各種情報９５を表示する。この情報９５には、シャッター速度・絞り値・ＩＳＯ感度等の撮影に関する設定が含まれている。この情報表示により、ユーザは撮影時の各種設定を容易に確認できる。なお、第１背面ディスプレイ９１と電子ビューファインダ１２の表示を自動で切り換える設定の場合は、電子ビューファインダ１２使用時には第１背面ディスプレイ９１の表示を停止してもよい。
【０１０５】
本実施例では、第１背面ディスプレイ９１使用時に第２背面ディスプレイ９２に操作ボタン３３ａを表示し、ユーザによる操作入力を可能とした。これにより、実施例４（図１２（ａ））における第２タッチパネル１９と操作ボタン３３を兼用して配置することができ、撮像装置の構成を合理化できる。
【実施例６】
【０１０６】
実施例６は、実施例５における第１背面ディスプレイ９１と第２背面ディスプレイ９２を一体化し、複数の画像を同時に表示するマルチ背面ディスプレイ１００として構成したものである。
【０１０７】
図１８は、実施例６に係る撮像装置の構成を示すブロック図である。マルチ背面ディスプレイ１００は、実施例５（図１５）における第１背面ディスプレイ９１と第２背面ディスプレイ９２を一体化したもので、共通のタッチパネル２１ｃと液晶パネル２２ｃで構成している。その他の構成および動作は実施例５と同様であり、詳細な説明は省略する。
【０１０８】
図１９は、実施例６に係る撮像装置を示す外観図であり、撮像装置を背面から見た図である。なお、側面から見た図は図１２（ｂ）と同様である。背面には、単一のマルチ背面ディスプレイ１００を配置し、これには複数の画像を同時に表示するため画面サイズを大きくしている。
【０１０９】
図２０Ａと図２０Ｂは、撮影を行う際に電子ビューファインダ１２とマルチ背面ディスプレイ１００に表示される画像の例を示す図である。
【０１１０】
図２０Ａは、マルチ背面ディスプレイ１００を使用して被写体を表示する場合である。マルチ背面ディスプレイ１００を使用するとき、その画面を３つの領域１０１、１０２、１０３に分割して表示する。左側の第１領域１０１は実施例５における第１背面ディスプレイ９１に対応し、被写体４１などの画像を表示してユーザのタッチ操作を受け付ける。右下側の第２領域１０２は実施例５における第２背面ディスプレイ９２に対応し、例えば操作ボタン３３ａを表示する。さらに右上側の第３領域１０３には、実施例５（図１７Ｂ）で示した撮影情報９５の表示を行っている。これにより、マルチ背面ディスプレイ１００に被写体画像を表示しながら、シャッター速度・絞り値等の撮影に関する設定を容易に確認することができる。
【０１１１】
図２０Ｂは、電子ビューファインダ１２を使用して被写体を表示する場合である。この場合、マルチ背面ディスプレイ１００の第１領域１０１での画像表示を停止し、第２領域１０２では、電子ビューファインダ１２での表示画像に対するユーザのタッチ操作を受け付ける。また第３領域１０３には、撮影情報９５の表示を行う。
【０１１２】
なお、図２０Ａ，２０Ｂに示したマルチ背面ディスプレイ１００の画面分割表示は一例であり、その他の任意の組み合わせにより画像表示やタッチ操作入力を行ってもよい。
【０１１３】
本実施例では、画面を分割して複数の画像を同時に表示するマルチ背面ディスプレイを使用し、被写体画像をマルチ背面ディスプレイに表示する場合と、電子ビューファインダに表示する場合とで、マルチ背面ディスプレイの各分割領域の表示内容と操作内容を切り替えるように構成している。これにより、撮像装置の構成をより一層合理化することができる。
【０１１４】
上記した各実施例においては、タッチパネルによる操作としてフォーカス領域の設定について説明したが、タッチ操作入力はこれに限定するものではなく、露光制御の領域設定や、フォーカスと露光制御を同時に行う場合の画面上の領域設定等に用いてもよい。また、被写体認識、人物認識の対象を設定する場合や、撮影条件であるシャッター速度・絞り値・ＩＳＯ感度等の設定入力に適用することもできる。
【０１１５】
以上、本発明の各実施例を説明したが、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【０１１６】
１：撮像装置、
２：レンズ部、
３：撮像素子、
４：信号処理回路、
７：符号化復号化回路、
８：記録再生回路、
９：制御部、
１０：操作入力部、
１１，９１，９２：背面ディスプレイ、
１２：電子ビューファインダ、
１３：検出部、
１４：レンズ制御部、
１５：駆動回路、
１６：記録媒体、
１７：ＯＳＤ回路、
１９，２１，２１ａ〜２１ｃ：タッチパネル、
２２，２２ａ〜２２ｃ：液晶パネル、
３１：モード設定ダイヤル、
３２：シャッターボタン、
３３，３３ａ：操作ボタン、
４０：背面ディスプレイの表示画面、
４１，５１：被写体画像、
４２，５２：ユーザの指、
４３，５３，５５，７１：フォーカス枠（フォーカス位置）、
５０：電子ビューファインダの表示画面、
６０，６１：タッチパネルの有効検出領域、
７０：フォーカス領域の候補枠、
８０：メニュー画面、
９５：撮影情報、
１００：マルチ背面ディスプレイ、
１０１〜１０３：分割領域。
【図１】
2020039135.tif 000003
【図２】
2020039135.tif 000004
【図３】
2020039135.tif 000005
【図４】
2020039135.tif 000006
【図５】
2020039135.tif 000007
【図６】
2020039135.tif 000008
【図７】
2020039135.tif 000009
【図８】
2020039135.tif 000010
【図９】
2020039135.tif 000011
【図１０】
2020039135.tif 000012
【図１１】
2020039135.tif 000013
【図１２】
2020039135.tif 000014
【図１３】
2020039135.tif 000015
【図１４】
2020039135.tif 000016
【図１５】
2020039135.tif 000017
【図１６】
2020039135.tif 000018
【図１７Ａ】
2020039135.tif 000019
【図１７Ｂ】
2020039135.tif 000020
【図１８】
2020039135.tif 000021
【図１９】
2020039135.tif 000022
【図２０Ａ】
2020039135.tif 000023
【図２０Ｂ】
2020039135.tif 000024